(57)【要約】【課題】平面部品の接続方法を変えることにより、立体形態と平面形態との間で何度も変形させることができ、子供が飽きることなく遊ぶことのできるおもちゃを提供すること。【解決手段】少なくとも２つの平面部品を備えたおもちゃであって、少なくとも２つの前記平面部品のそれぞれは、互いに接続離脱可能な接続部を備え、少なくとも２つの前記平面部品の接続部同士を立体的に接続することにより第１有形物を模した立体形態を形成するように、平面部品のそれぞれが、立体形態の一部を構成する形状を有し、少なくとも２つの平面部品の接続部同士を同一平面上において接続することにより第２有形物を模した平面形態を形成するように、平面部品のそれぞれが平面形態の一部を構成する形状を有するおもちゃ。【選択図】  図１
2019024586.tif 000002
【特許請求の範囲】
【請求項１】
少なくとも２つの平面部品を備えたおもちゃであって、
少なくとも２つの前記平面部品のそれぞれは、互いに接続離脱可能な接続部を備え、
少なくとも２つの前記平面部品の前記接続部同士を立体的に接続することにより第１有形物を模した立体形態を形成するように、前記平面部品のそれぞれが、前記立体形態の一部を構成する形状を有し、
少なくとも２つの前記平面部品の前記接続部同士を同一平面上において接続することにより第２有形物を模した平面形態を形成するように、前記平面部品のそれぞれが前記平面形態の一部を構成する形状を有するおもちゃ。
【請求項２】
前記第１有形物は、動物、植物、または乗り物である請求項１に記載のおもちゃ。
【請求項３】
少なくとも２つの前記平面部品は、前記立体形態で水面に浮揚可能な材料からなる請求項１または２に記載のおもちゃ。
【請求項４】
前記平面部品は、発泡材料、中空材料、木材、または撥水紙からなる請求項３に記載のおもちゃ。
【請求項５】
前記第２有形物は、動物、植物、乗り物、建物および幾何形状である請求項１乃至４のいずれか１項に記載のおもちゃ。
【請求項６】
前記平面部品のそれぞれは、動物、植物、乗り物、建物および幾何形状のいずれかを模した形状を有する請求項１乃至５のいずれか１項に記載のおもちゃ。
【発明の詳細な説明】
【技術分野】
【０００１】
本発明は、おもちゃに関する。
【背景技術】
【０００２】
上記技術分野において、特許文献１には、組み立てることで立体的な形態が得られるおもちゃが開示されている。
【先行技術文献】
【特許文献】
【０００３】
【特許文献１】特開２００９−３４２５９号公報
【発明の概要】
【発明が解決しようとする課題】
【０００４】
しかしながら、上記文献に記載の技術は、ただ単に、意味のない形状を有する展開図から立体を組み立てるだけのものであり、一度組み立ててしまえば、組み立て前の状態に戻す動機は全くなく、子供にすぐに飽きられてしまっていた。
【０００５】
本発明の目的は、上述の課題を解決する技術を提供することにある。
【課題を解決するための手段】
【０００６】
少なくとも２つの平面部品を備えたおもちゃであって、
少なくとも２つの前記平面部品のそれぞれは、互いに接続離脱可能な接続部を備え、
少なくとも２つの前記平面部品の前記接続部同士を立体的に接続することにより第１有形物を模した立体形態を形成するように、前記平面部品のそれぞれが、前記立体形態の一部を構成する形状を有し、
少なくとも２つの前記平面部品の前記接続部同士を同一平面上において接続することにより第２有形物を模した平面形態を形成するように、前記平面部品のそれぞれが前記平面形態の一部を構成する形状を有するおもちゃ。
【発明の効果】
【０００７】
本発明によれば、平面部品の接続方法を変えることにより、立体形態と平面形態との間で何度も変形させることができ、子供が飽きることなく遊ぶことのできるおもちゃを提供できる。
【図面の簡単な説明】
【０００８】
【図１】本発明の第１実施形態に係るおもちゃの構成を示す図である。
【図２】本発明の第２実施形態に係るおもちゃの平面形態を示す図である。
【図３】本発明の第２実施形態に係るおもちゃの立体形態への変形方法を示す図である。
【図４】本発明の第２実施形態に係るおもちゃの立体形態への変形方法を示す図である。
【図５】本発明の第２実施形態に係るおもちゃの立体形態への変形方法を示す図である。
【図６】本発明の第２実施形態に係るおもちゃの立体形態を示す図である。
【図７】本発明の第３実施形態に係るおもちゃの平面形態を示す図である。
【図８】本発明の第３実施形態に係るおもちゃの立体形態への変形方法を示す図である。
【図９】本発明の第３実施形態に係るおもちゃの立体形態への変形方法を示す図である。
【図１０】本発明の第３実施形態に係るおもちゃの立体形態への変形方法を示す図である。
【図１１】本発明の第３実施形態に係るおもちゃの立体形態への変形方法を示す図である。
【図１２】本発明の第３実施形態に係るおもちゃの立体形態への変形方法を示す図である。
【図１３】本発明の第３実施形態に係るおもちゃの立体形態を示す図である。
【図１４】本発明の第４実施形態に係るおもちゃの平面形態を示す図である。
【図１５】本発明の第４実施形態に係るおもちゃの立体形態への変形方法を示す図である。
【図１６】本発明の第４実施形態に係るおもちゃの立体形態への変形方法を示す図である。
【図１７】本発明の第４実施形態に係るおもちゃの立体形態への変形方法を示す図である。
【図１８】本発明の第４実施形態に係るおもちゃの立体形態への変形方法を示す図である。
【図１９】本発明の第４実施形態に係るおもちゃの立体形態を示す図である。
【発明を実施するための形態】
【０００９】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１０】
［第１実施形態］
本発明の第１実施形態としてのおもちゃ１００について、図１を用いて説明する。おもちゃ１００は、少なくとも２つの平面部品１１０、１２０を備えたおもちゃである。
【００１１】
平面部品１１０、１２０のそれぞれは、互いに接続離脱可能な接続部１１１、１２１を備える。
【００１２】
平面部品１１０、１２０の接続部１１１、１２１同士を立体的に接続することにより有形物を模した立体形態を形成する。図１では、有形物の一例として首長竜を採用しており、平面部品１１０、１２０のそれぞれが、首長竜を模した立体形態の一部を構成する形状を有している。
【００１３】
平面部品１１０、１２０の接続部１１１、１２１同士を平面的に接続することにより別の有形物を模した平面形態を形成する。図１では、有形物の一例としてペンギンを採用しており、平面部品１１０、１２０のそれぞれが、ペンギンを模した平面形態の一部を構成する形状を有している。
【００１４】
以上、本実施形態によれば、平面部品の接続部同士の接続方法を変えることにより、立体形態と平面形態との間で何度も遷移させることができ、子供が飽きることなく遊ぶことのできるおもちゃを提供できる。
【００１５】
［第２実施形態］
次に本発明の第２実施形態に係るおもちゃ２００について、図２〜図６を用いて説明する。図２は、本実施形態に係るおもちゃ２００の平面形態を示す図である。
【００１６】
おもちゃ２００は、平面部品２０１〜２０８を含む。平面部品２０１〜２０８は、それぞれ接続部を有しており、接続部を介して同一平面上において接続されて、ペンギンを模した平面形態を実現している。ここでは有形物の例としてペンギンを形成するおもちゃについて説明するが、本発明はこれに限定されるものではなく、他の動物でもよいし、植物、建物、乗り物あるいは三角や星形などの幾何形状を形成してもよい。
【００１７】
平面部品２０１は、凸状の接続部２１１と、凹状の接続部２１２、２１３とを備えている。一方、平面部品２０２は、凹状の接続部２２１を備え、これらの接続部２１１、２２１は、接続離脱可能になっている。
【００１８】
同様に、平面部品２０３は、５つの凸状の接続部２３１〜２３５と一つの凹状の接続部２３６とを外周に備え、二つの凹状の接続部２３７、２３８を内部に備えている。平面部品２０４は、一つの凹状の接続部２４１を備え、平面部品２０５は、一つの凸状の接続部２５１を備え、平面部品２０６は、一つの凹状の接続部２６１を備え、平面部品２０７は一つの凹状の接続部２７１を備え、平面部品２０８は一つの凹状の接続部２８１を備えている。
【００１９】
平面形態では、接続部２３１は接続部２１２と、接続部２３２は接続部２１３と、接続部２３３は接続部２４１と、接続部２３４は接続部２６１と、接続部２３５は接続部２７１と、接続部２３７は接続部２５１と、接続部２７２は接続部２８１とそれぞれ離脱可能に接続されている。具体的には、凸状の接続部の先端に設けられた突起部分が、凹状の接続部の切り欠き部分にはまり込むことで、容易には離脱しない程度に固定される。様々な大きさの平面部品（ピース）を並べてはめあわせることで、ジグゾーパズルを楽しむことができる。子供は、一つ一つの平面部品をお風呂の壁に貼りながら、それらを組み合わせて、動物等を模した平面形態を作り上げる喜びを得ることができる。
【００２０】
また、図２を見れば分かるように、平面部品２０１〜２０８のそれぞれも、何らかの生き物を模した形状になっている。例えば、平面部品２０１は、キツツキを模しており、平面部品２０２、２０４は、ラッコ、エビのような生き物を模している。さらに、平面部品２０３は、豚や亀、平面部品２０５は、くらげ、平面部品２０６は、オットセイ、平面部品２０７は、ティラノサウルス、平面部品２０８は、キノコを模している。ここでは、平面部品が、生き物に模した形状を有しているとしたが、生き物以外でも、植物、乗り物、建物および幾何形状のいずれかを模した形状であればよい。
【００２１】
図３〜図５は、おもちゃ２００を立体形態に変形する際の組み立て図である。図２に示した平面部品２０１〜２０８をバラバラに分解した上で、組合せ方を変更して立体的に接続する。具体的には、まず、図３に示すように、平面部品２０１を立てて、接続部２１３と接続部２３６とを立体的に接続する。一方、平面部品２０５を立てて、接続部２５１と接続部２３８とを立体的に接続する。次に、図４に示すように、平面部品２０４を垂直に立てて、接続部２４２と接続部２３７とを接続する。さらに図５に示すように、平面部品２０２、２０６、２０７、２０８を、それぞれ、平面部品２０３の接続部２３１〜２３４に立体的に接続する。
【００２２】
これにより、図６に示すように、首長竜を模した立体形態６００が完成する。平面部品２０１〜２０８は、発泡材料、中空材料、木材、または撥水紙からなる。具体的には、ＥＶＡ樹脂を用いることができる。そのため、立体形態６００は、水面に浮揚可能である。ここでは、立体形態６００が、首長竜を模した形態としているが、本発明はこれに限定されるものではなく、他の動物、植物、または乗り物であってもよい。
【００２３】
以上、本実施形態によれば、ペンギンを模した平面形態２００と首長竜を模した立体形態６００との間で何度も形態変化を楽しむことができる。平面パズルと同じピースを立体に組み換えることでプラモデルのような３Ｄパズルとして遊べ、できあがった立体形態を湯船に浮かべて遊ぶことができる。さらに、パズルのピースである平面部品の一つ一つは、それぞれが不思議な形をした生き物としてデザインされているため、一つの平面部品のみをお風呂の壁に貼り付けたり湯船に浮かべたりして遊ぶこともできる。
【００２４】
［第３実施形態］
次に本発明の第３実施形態に係るおもちゃ７００について、図７〜図１３を用いて説明する。図７は、本実施形態に係るおもちゃ７００の平面形態を示す図である。本実施形態に係るおもちゃ７００は、上記第２実施形態と比べると、魚を模した平面形態とヨットを模した立体形状との間で形態変化を行なう点で異なる。その他の構成および動作は、第２実施形態と同様であるため、同じ構成および動作については同じ符号を付してその詳しい説明を省略する。
【００２５】
図７に示すとおりおもちゃ７００は、平面部品７０１〜７０８を含む。平面部品７０１〜７０８は、それぞれ接続部を有しており、接続部を介して平面的に接続されて、魚を模した平面形態を実現している。ここでは有形物の例として魚を平面的に形成するおもちゃについて説明するが、本発明はこれに限定されるものではなく、他の動物でもよいし、植物、建物、乗り物あるいは三角や星形などの幾何形状を平面的に形成してもよい。
【００２６】
平面部品７０１は、凹状の接続部７１１〜７１４と、凸状の接続部７１５、７１６とを備えている。一方、平面部品７０２は、凸状の接続部７２１を備え、これらの接続部７１３、７２１は、互いに接続離脱可能になっている。
【００２７】
同様に、平面部品７０３は、一つの凹状の接続部７３１を備えている。平面部品２０４は、二つの凹状の接続部７４１、７４２と、三つの凸状の接続部７４３〜７４５とを備えている。平面部品７０５は、一つの凹状の接続部７５１を備え、平面部品７０６は、一つの凹状の接続部７６１を備え、平面部品７０７は一つの凹状の接続部７７１と一つの凸状の接続部７７２とを備え、平面部品７０８は二つの凹状の接続部７８１、７８２を備えている。
【００２８】
接続部７２１は接続部７１３と、接続部７１５は接続部７３１と、接続部７１６は接続部７５１と、接続部７７２は接続部７１４と、それぞれ離脱可能に接続されている。また、図７を見れば分かるように、平面部品７０１〜７０８のそれぞれも、何らかの生き物を模した形状になっている。例えば、平面部品７０１、７０２、７０４、７０７は、魚を模しており、平面部品７０３、７０５は、イモムシのような生き物を模している。さらに、平面部品７０６は、馬、平面部品７０８は、カニを模している。
【００２９】
図８〜図１３は、おもちゃ７００を立体形態に変形する際の組み立て図である。図７に示した平面部品７０１〜７０８をバラバラに分解した上で、組合せ方を変更して立体的に接続する。
【００３０】
具体的には、まず、図８に示すように、平面部品７０１の接続部７１１、７１２に対して、平面部品７０３、７０５の接続部７３１、７５１を立体的に接続する。次に、図９に示すように、平面部品７０４の接続部７４４、７４５に対して、平面部品７０８、７０６を縦にして立体的に接続する。次に、図１０に示すように、平面部品７０２の接続部７２１と、平面部品７０７の接続部７７２を垂直に接続する。さらに図１１に示すように、図８、図９で作成した立体を縦方向に重ねて組み合わせる。具体的には、平面部品７０３、７０５を、平面部品７０４の接続部７４１、７４２に嵌め込む。
【００３１】
最後に、図１２に示すように、図１０で示した帆の部分を組み合わせれば、図１３に示すヨットを模した立体形態１３００が完成する。平面部品７０１〜７０８は、発泡材料、中空材料、木材、または撥水紙からなる。そのため、立体形態１３００は、水面に浮揚可能である。ここでは、立体形態１３００が、ヨットを模した形態としているが、本発明はこれに限定されるものではなく、他の動物、植物、または乗り物であってもよい。
【００３２】
以上、本実施形態によれば、第２実施形態の効果に加えて、魚を模した平面形態７００とヨットを模した立体形態１３００との間で何度も形態変化を楽しむことができる。
【００３３】
［第４実施形態］
次に本発明の第４実施形態に係るおもちゃ１４００について、図１４〜図１９を用いて説明する。図１４は、本実施形態に係るおもちゃ１４００の平面形態を示す図である。本実施形態に係るおもちゃ１４００は、上記第２、第３実施形態と比べると、魚を模した平面形態とヨットを模した立体形状との間で形態変化を行なう点で異なる。その他の構成および動作は、第２実施形態と同様であるため、同じ構成および動作については同じ符号を付してその詳しい説明を省略する。
【００３４】
図１４に示すとおり、おもちゃ１４００は、平面部品１４０１〜１４０９を含む。平面部品１４０１〜１４０９は、それぞれ接続部を有しており、これらの接続部は、互いに接続離脱可能になっている。ここでは、平面部品１４０１〜１４０９は接続部を介して平面的に接続されて、亀を模した平面形態を実現している。本実施形態では有形物の例として亀を平面的に形成するおもちゃについて説明するが、本発明はこれに限定されるものではなく、他の動物でもよいし、植物、建物、乗り物あるいは三角や星形などの幾何形状を平面的に形成してもよい。
【００３５】
平面部品１４０１は、凸状の接続部１４１１、１４１２を備えている。一方、平面部品１４０２は、凹状の接続部１４２１を備えている。
【００３６】
同様に、平面部品１４０３は、凸状の接続部１４３１と、凹状の接続部１４３２、１４３３とを備えている。平面部品１４０４は、二つの凹状の接続部１４４１、１４４２と凸状の接続部１４４３とを備えている。平面部品１４０５は、凸状の接続部１４５１と凹状の接続部１４５２、１４５３とを備え、平面部品１４０６は、凸状の接続部１４６１、１４６２と凹状の接続部１４６３を備えている。平面部品１４０７は一つの凹状の接続部１４７１を備え、平面部品１４０８は、三つの凸状の接続部１４８１〜１４８３との凹状の接続部１４８４を備えている。平面部品１４０９は一つの凹状の接続部１４９１を備えている。また、図１４を見れば分かるように、平面部品１４０１〜１４０９のそれぞれも、何らかの生き物を模した形状になっている。例えば、平面部品１４０１はイルカ、１４０２、１４０７、１４０９はオットセイ、１４０３、１４０５は豚、１４０４はカモメ、１４０６はイモムシ、１４０８は牛を模している。
【００３７】
図１５〜図１９は、おもちゃ１４００を立体形態に変形する際の組み立て図である。図１４に示した平面部品１４０１〜１４０９をバラバラに分解した上で、組合せ方を変更して立体的に接続する。
【００３８】
具体的には、まず、図１５に示すように、平面部品１４０１の接続部１４１１を、平面部品１４０９の接続部１４９１に接続する。次に、図１６に示すように、平面部品１４０３、１４０５を縦に並べ、接続部１４３３、１４５３に対して、平面部品１４０６の接続部１４６３を立体的に接続する。
【００３９】
次に、図１７に示すように、図１５で生成した平面部品１４０１、１４０９の組合せにおける接続部１４１２、１４９２を、図１５で生成した平面部品１４０３、１４０５、１４０６の組合せにおける接続部１４３２、１４５２に立体的に接続する。さらに、平面部品１４０６の接続部１４６１、１４６２に対して、平面部品１４０２、１４０７の接続部１４２１、１４７１を接続する。
【００４０】
最後に、図１８で示すとおり、接続部１４５３、１４３３に再度、平面部品１４０８の接続部１４８２を立体的に挿入接続し、接続部１４８４に、平面部品１４０４の接続部１４４３を、角度を変えて立体的に挿入接続する。これにより、図１９に示すクジラを模した立体形態１９００が完成する。
【００４１】
平面部品１４０１〜１４０９は、発泡材料、中空材料、木材、または撥水紙からなる。そのため、立体形態１９００は、水面に浮揚可能である。ここでは、立体形態１９００が、クジラを模した形態としているが、本発明はこれに限定されるものではなく、他の動物、植物、または乗り物であってもよい。
【００４２】
以上、本実施形態によれば、第２実施形態の効果に加えて、亀を模した平面形態１４００とクジラを模した立体形態１９００との間で何度も形態変化を楽しむことができる。
【００４３】
［他の実施形態］
以上、実施形態を参照して本願発明を説明したが、本願発明は上記実施形態に限定されるものではない。本願発明の構成や詳細には、本願発明の範疇内で当業者が理解し得る様々な変更をすることができる。
【図１】
2019024586.tif 000003
【図２】
2019024586.tif 000004
【図３】
2019024586.tif 000005
【図４】
2019024586.tif 000006
【図５】
2019024586.tif 000007
【図６】
2019024586.tif 000008
【図７】
2019024586.tif 000009
【図８】
2019024586.tif 000010
【図９】
2019024586.tif 000011
【図１０】
2019024586.tif 000012
【図１１】
2019024586.tif 000013
【図１２】
2019024586.tif 000014
【図１３】
2019024586.tif 000015
【図１４】
2019024586.tif 000016
【図１５】
2019024586.tif 000017
【図１６】
2019024586.tif 000018
【図１７】
2019024586.tif 000019
【図１８】
2019024586.tif 000020
【図１９】
2019024586.tif 000021